(57)【要約】【課題】パチンコゲームのゲーム結果をメダルゲームのゲームに反映させて、遊戯性と娯楽性とをともに高めたゲーム機を提供する。【解決手段】メダル投入に基づいて実行されるパチンコゲーム結果を、パチンコゲーム機２のメダル排出口１７から排出されたメダル数と関連させ、その排出されたメダルをメダルゲーム機３のプッシュ板３２やメダルガイドテーブル３１に受け、そのメダルをプッシュ板３２の往復移動によってメダルガイドプレート３１の前端から水平台３０上へ落下するように押し出させて、最終的にこの水平台３０からメダルゲーム領域Ｂ外の払い出し口３９へ入賞メダルとして払い出させる。【選択図】図２
2011067472.tif 000002
【特許請求の範囲】
【請求項１】
パチンコゲーム機とメダルゲーム機とが一つの筐体内に収納されたゲーム装置であって、パチンコゲーム機は、パチンコ玉を打ち出す球打出し機と、この球打出し機によって打ち出されたパチンコ玉を、遊技板面の上方へ案内するガイドレールと、遊技板の上方から該遊技板面に打たれた複数の釘に当たりながら自然落下したパチンコ玉を受ける入賞穴およびアウト穴と、入賞穴およびアウト穴で受けたパチンコ玉を一端収納し、前記球打出し機へ送り出す球収納部と、前記入賞穴に入ったパチンコ玉数に応じた所定数のメダルを、メダル収納部から排出するメダル排出口と、を備え、メダルゲーム機は、ゲーム開始のために投入されたメダルをメダルゲーム領域に送り出すメダルシュートと、このメダルシュートによるメダルの送り出しを検知して前記球打出し機によるパチンコ玉の打ち出しを開始させるパチンコ玉打ち出し開始センサーと、メダルゲーム領域の底部に設けられた水平台と、この水平台上に設置されて、前端部にメダル排出凹部が形成されたメダルガイドテーブルと、このメダルガイドテーブル上に微小間隙をおいて前後方向に往復移動自在に設置され、前記パチンコゲーム側の前記メダル排出口や前記メダルシュートから送り出された各メダルを受けて載置するプッシュ板と、を備え、このプッシュ板の上面から前記メタルガイドテーブル上に落下したメダルや予め前記メダルガイドテーブル上に置かれたメダルを、前記プッシュ板の往復移動によって前記メダルガイドテーブルの前端に向って押し出させ、さらに前記メダルガイドテーブルから前記水平台上へ落下するように押し出されたメダルを、メダルゲーム領域外の払い出し口へ払い出すことを特徴とするゲーム装置。
【請求項２】
前記メダルシュートに投入されたメダル数対応のパチンコ玉数を表示する表示機が設けられていることを特徴とする請求項１に記載のゲーム装置。
【請求項３】
前記入賞穴に入ったパチンコ玉数に応じた賞メダルを前記メダル排出口から前記プッシュ板上へ排出させることを特徴とする請求項１に記載のゲーム装置。
【請求項４】
前記メダルガイドテーブルの前端縁部に設けられたメダル排出凹部を介してメダルガイドテーブル上のメダルの前記水平台への落下を可能にし、このメダル排出凹部をメダルが通過した場合にスロットを回転させた後停止させて、同一の数字または絵柄が一列に並んだときに、所定数の賞メダルをメダルゲーム領域外の前記払い出し口へ払い出すことを特徴とする請求項１に記載のゲーム装置。
【発明の詳細な説明】
【技術分野】
【０００１】
本発明は、ゲーム装置、特にパチンコ機によって得られたゲーム結果をメダルゲーム機のゲーム結果に反映させることで、娯楽性並びに遊戯性を高めたゲーム装置に関するものである。
【背景技術】
【０００２】
従来から、一般に広く知られているパチンコ台（パチンコ機）は、内部に多数の真鍮製の「釘」や鉄板製の小さい「風車」を数個打ち付けた遊技板を概ね垂直に近い状態で設置し、釘の頭からわずかな間隙を残して透明の板ガラスで覆ったものからなる。このパチンコ台は、パチンコ球と呼ばれる直径約１１ミリ、  重量約５グラムの鋼球を玉貸機などで借り、パチンコ台に挿入し、内蔵される球打出し機から球を発射する。
【０００３】
こうして球打出し機によって弾かれた球は、ガイドレールに沿って前記遊技板の上部前面に打ち出された後自重で落下し、羽根や回転体、「チューリップ」のような機械仕掛けの「役物」に当たりながら複雑な軌跡で下に落ちる。この球の落下の途中で入賞穴（当たり穴）に入ることにより規定数の入賞球を獲得することができる。役物は機械仕掛けや電気仕掛けにとどまらず、  近年ではデジタル部品を駆使した「デジパチ」と呼ばれるハイテク度の高い機種も登場している。
【０００４】
一方、前記パチンコ機と同様に娯楽性の高いゲーム機として、メダルゲーム機が広く知られている。これは、遊技者が投入したメダルをゲーム機内のテーブル（水平台）上に蓄積し、このテーブル上に蓄積されたメダルをメダル押し出し部材（プッシュ）によって押し出して、押し出されたメダルを遊技者に払い戻すというものである（例えば、特許文献１参照）。
【０００５】
これについて少し詳しく述べると、テーブル上に落とされたメダルは、プッシュ板の前縁によって、テーブルの手前側端縁に向けて押し出す。テーブル上には、予め多数のメダルが載置および堆積されているので、新たに落下したメダルがプッシュ板によって押し出されるのに伴って、他のメダルも玉突き状態で一緒に押し出され、前記テーブルの手前側端縁からこぼれ落ちる。このようにしてこぼれ落ちたメダルが、シュートを通って、遊技者に払い戻される。
【先行技術文献】
【特許文献】
【０００６】
【特許文献１】特開２００８−１８２７３号公報
【発明の概要】
【発明が解決しようとする課題】
【０００７】
前記のパチンコ機は、発射機により打ち出された球の動きを目で追い、賞球を獲得するという遊技方法であり、大量に賞球が得られる可能性が高いものの、遊技方法が比較的単純である。また、前記メダルゲームは、遊技者が大量に負けることがない代わりに、遊技者が大量に勝つこともなく、遊戯方法が比較的単純であり、遊戯性及び娯楽性に新趣向の取り入れが要望されるところである。
【０００８】
本発明は、上述した事情に鑑みてなされたものであり、パチンコゲームのゲーム結果をメダルゲームのゲームに反映させることによって、ゲーム機としての遊戯性及び娯楽性を高めた新趣向のゲーム装置を提供することを目的とする。
【課題を解決するための手段】
【０００９】
前述した目的を達成するために、本発明に係るゲーム機は、パチンコゲーム機とメダルゲーム機とが一つの筐体内に収納されたゲーム装置であって、パチンコゲーム機は、パチンコ玉を打ち出す球打出し機と、この球打出し機によって打ち出されたパチンコ玉を、遊技板面の上方へ案内するガイドレールと、遊技板の上方から該遊技板面に打たれた複数の釘に当たりながら自然落下したパチンコ玉を受ける入賞穴およびアウト穴と、入賞穴およびアウト穴で受けたパチンコ玉を一端収納し、前記球打出し機へ送り出す球収納部と、前記入賞穴に入ったパチンコ玉数に応じた所定数のメダルを、メダル収納部から排出するメダル排出口と、を備え、メダルゲーム機は、ゲーム開始のために投入されたメダルをメダルゲーム領域に送り出すメダルシュートと、このメダルシュートによるメダルの送り出しを検知して前記球打出し機によるパチンコ球の打ち出しを開始させるパチンコ玉打ち出し開始センサーと、メダルゲーム領域の底部に設けられた水平台と、この水平台上に設置されて、前端部にメダル排出凹部が形成されたメダルガイドテーブルと、このメダルガイドテーブル上に微小間隙をおいて前後方向に往復移動自在に設置され、前記パチンコゲーム側の前記メダル排出口や前記メダルシュートから送り出された各メダルを受けて載置するプッシュ板と、を備え、このプッシュ板の上面から前記メダルガイドテーブル上に落下したメダルや予め前記メダルガイドテーブル上に置かれたメダルを、前記プッシュ板の往復移動によって前記メダルガイドテーブルの前端に向って押し出させ、さらに前記メダルガイドテーブルから前記水平台上へ落下するように押し出されたメダルを、メダルゲーム領域外の払い出し口へ払い出すことを特徴とする。
【００１０】
この構成により、メダルシュートへメダルの投入によってパチンコ玉によるパチンコゲームを自動的に開始され、このパチンコゲームのゲーム結果に応じた数のメダルをプッシュ板へ排出することにより、メダルゲームが開始される。このメダルゲームでは、プッシュ板上に排出されたメダルのうちプッシュ板からメダルガイドプレート上に落下したメダルおよび予めメダルガイドプレートに載置されているメダルを、プッシュ板によりゆっくりメダルガイドプレート上から払い出し口へ払い出し、この払い出されたメダルを遊技者が最終的に獲得した賞メダルとすることができる。
【００１１】
また、本発明に係るゲーム装置は、前記メダルシュートに投入されたメダル数対応のパチンコ玉数を表示する表示器が設けられていることを特徴とする。この構成により、表示器に表示されたメダル数対応の回数分パチンコゲームを実施することができる。
【００１２】
また、本発明にかかるゲーム装置は、前記入賞穴に入ったパチンコ玉数に応じた賞メダルを前記メダル排出口から前記プッシュ板上へ排出させることを特徴とする。この構成により、プッシュ板上に排出されたメダルによって押し出される他のメダルを水平板上へ落とし込み、この水平板上に載置されたメダルをプッシュ板の移動によって払い出し口方向へ順次送り出すことができる。
【００１３】
また、本発明にかかるゲーム装置は、前記メダルガイドテーブルの前端縁部に設けられたメダル排出凹部を介してメダルガイドテーブル上のメダルの前記水平台への落下を可能にし、このメダル排出凹部をメダルが通過した場合にスロットを回転させた後停止させて、同一の数字または絵柄が一列に並んだときに、所定数の賞メダルをメダルゲーム領域外の前記払い出し口へ払い出すことを特徴とする。この構成により、前記のパチンコゲームおよびメダルゲームを実施しながら、スロットゲームを同時に楽しむことができ、遊戯性及び娯楽性をさらに高める。
【発明の効果】
【００１４】
本発明によれば、パチンコゲームのゲーム結果をメダルゲームのゲームに反映させることができ、これによってゲーム機としての遊戯性及び娯楽性をともに高めることができる
【図面の簡単な説明】
【００１５】
【図１】本発明の実施形態によるゲーム装置を示す正面図である。
【図２】図１に示すゲーム装置の側面図である。
【図３】図１におけるパチンコゲーム機の構成を示す正面図である。
【図４】図１におけるメダルゲーム機の構成を示す斜視図である。
【発明を実施するための形態】
【００１６】
以上、本発明について簡潔に説明した。さらに、本発明の実施形態を、図面を参照しながら詳細に説明する。図１は、本実施形態のゲーム装置の正面図、図２は同じく側面図、図３はパチンコゲーム機の正面図、図４はメダルゲーム機の斜視図である。
【００１７】
図１〜図４において、本実施形態によるゲーム装置１は、全体として移動自在な床置き型の箱体からなり、上部はパチンコゲーム機２を収納したパチンコゲーム領域Ａとなっており、このパチンコゲーム機２の下部は、メダルゲーム機３を収納したメダルゲーム領域Ｂとなっている。
【００１８】
パチンコ台２は、図３に示すように、構成されている。すなわち、前から見える（実線で示す部分）円板状の遊技板１１と、遊技板１１の各所に垂直に打ち込まれた多数の釘１２と、円板１１の各所に設けられた種々の入賞穴１３ａ、１３ｂ、１３ｃと、球打出し機により打ち出されたパチンコ玉を円板１１の上部へ導くガイドレール１４と、どの入賞穴１３にも入らなかったパチンコ玉を排出するアウト穴１５、球数表示器１６と、外から見えないが、点線で示す球収納部１８と前記玉打出し機１９とを有している。
【００１９】
また、球収納部１８の底部に設けられた玉出口と玉打出し機１９とは玉通路２０により接続されている。玉通路２０は直径がパチンコ玉の直径よりやや大きい円筒管からなり、これを通ってパチンコ玉は一列に球収納部１８から自然に玉打出し機１９へ供給されるようになっている。
【００２０】
また、受皿１８の上部に設けられた玉入口とアウト玉排出穴１５との間は玉通路２１により接続されている。また、複数の入賞穴１３ａ、１３ｂ、１３ｃの各々は対応する玉通路（図示省略）によりそれぞれ球収納部１８と接続されている。球収納部１８には常に例えば１０個以下（同時に遊技板１１を落下している玉の数）のパチンコ玉が存在し、これらの少数のパチンコ玉が打出し−落下−入賞又はアウト−排出−収納−打出しのサイクルを自動的に繰り返すようになっている。
【００２１】
また、遊技板１１の下部中央には、後述のメダル排出口１７が設けられ、このメダル排出口１７の上部にはリールの回転を停止させることによって同一の数字や絵柄が横一列に並んだとき入賞表示をするスロット表示部２２が設けられている。なお、このスロット表示を前述のようにリールの回転によって行うほか、各種の光表示セグメントを用いて絵柄や数字を仮想的に回転させるものを用いてもよい。
【００２２】
一方、メダルゲーム台３は、図４に示すように構成されている。このメダルゲーム機３が設置されるメダルゲーム領域Ｂには、固定式の水平台３０が設けられている。水平台３０上には固定式のメダルガイドテーブル３１と、このメダルガイドテーブル３１上にあってこれの奥行き方向へ往復スライドする移動テーブルとしてのプッシュ板３２と、が設けられている。このプッシュ板３２はゲーム機への電源投入と同時にゆっくりした速さの一定タイミングで、メダルガイドテーブル３１上で前後方向にスライドを開始し、電源がオフとなるまでスライド動作を継続する。
【００２３】
プッシュ板３２の上部にはパチンコ台２下部の側のメダル排出口１７が臨んでいる。なお、水平台３０、メダルガイドテーブル３１およびプッシュ板３２の各上面には、所定数のメダルがランダムに置かれ、一部では積み重なっている。
【００２４】
メダルガイドテーブル３１の前端部には突縁３３が設けられ、この突縁３３の一部にメダルガイドテーブル３１上のメダルの排出を可能にするメダル排出凹部３４が設けられている。なお、このメダル排出凹部３４にはメダルの通過を検出するメダル通過センサ（図示しない）が設けられている。
【００２５】
また、水平台３０の前方には 、メダルゲーム領域Ｂの外から遊技者が回動操作とメダル投入をするためのメダルシュート３５、３６が左右の１箇所ずつに設置されている。このメダルシュート３５、ｌ３６は薄くて深いガイド溝４３、４４を有し、垂直軸３７、３８の回りに水平回動可能になっている。
【００２６】
従って、このガイド溝の一端（前端）３５ａ、３６ａに挿し入れられたメダルは、ガイド溝４３、４４内を転がりながら先端（後端）から前記プッシュ板３２上に落下可能になっている。なお、このメダルシュート３５にはガイド溝４３、４４内を移動するメダルを感知するパチンコ玉打出し開始センサー４１、４２が設置されている。
【００２７】
次にゲームの手順を説明する。
【００２８】
ゲーム装置１は、電源の投入と同時に各種照明の点灯、電飾の点滅、ゲーム画面の表示などを行い、さらにプッシュ板３２を前述のように前後方向にスライド動作させる。また、電気系統各部の動作がスタンバイ状態となり、ゲームの開始まで待機する。先ず遊技者は、ゲーム開始をするためにメダルを購入し、そのメダルをメダルシュート３５、３６の一方または両方に挿入する。
【００２９】
メダルシュート３５、３６はメダルゲーム領域Ｂの内外に貫通する前述のガイド溝４３、４４が設けられているので、このガイド溝４３、４４の一端にメダルを挿入する。このためメダルは自重にてガイド溝４３、４４内を転がってこのガイド溝４３、４４の他端からプッシュ板３２上に落下する。この場合において、各メダルシュート３５、３６は垂直軸３７、３８を中心に回動操作可能である。これにより、プッシュ板３２上のメダルをメダルガイドテーブル３１へ落下させ易くする位置に、前記ガイド溝４３、４３内を転がるメダルをプッシュ板３２上の所定位置へ落下させるように、メダルシュート３５、３６の先端を向けることができる。
【００３０】
前記プッシュ板３２上には、前述のように多数個のメダルが載置されており、その落下したメダルまたはこの落下したメダルに押された別のメダルがプッシュ板３２上の前端部からメダルガイドテーブル３１上に落下する。このメダルガイドテーブル３１上にも多数のメダルが載置されていて、これらのメダルは一部で重なるように、ランダムに配置されている。
【００３１】
一方、メダルシュート３５、３６内には前記ガイド溝４３、４４内を通過するメダルを検知して前記球打出し機１９によりパチンコ玉の打出しを開始させるパチンコ玉打出し開始センサー４１、４２が設けられている。このセンサーが検出したメダルの個数をパチンコ玉演算制御部で計数し、プログラムに従ってそのメダル数対応のパチンコ玉数を決定し、その決定された球数のパチンコ玉を球数重表示器１６に表示する。
【００３２】
また、前記決定された球数のパチンコ玉がパチンコ台２下部の球収納部１８内から同じくパチンコ台２下部の球打出し機１９に送り出される。球打出し機１９は前記パチンコ玉打出し開始センサー４１、４２の信号を受けて打出し（発射）動作を開始し、表示機６に表示した球数のパチンコ玉を順次かつ自動的にガイドレール１４に沿って打ち上げる。これにより、前記同様に、遊技板１１の上部から打ち上げられたパチンコ玉を自重で落下させる。
【００３３】
ここで遊技板１１の前面を落下するパチンコ玉が入賞穴１３ａ〜１３ｃのいずれかに入ると、その入賞穴１３ａ〜１３ｃについて予め決められた数の入賞メダルが図示しないメダル収納ホッパからメダル排出口１７へ排出される。こうして排出されたメダルは、プッシュ板３２上に落下し、またはこのプッシュ板３２上を転がってメダルガイドテーブル３１上に落下し、それぞれ載置される。
【００３４】
また、特定の入賞穴、例えば入賞穴１３ｂにパチンコ玉が入った場合には、遊技板１１の前部に配置された液晶画面の画像をフィーバさせるとともに、別の入賞穴１３ｃのチッカを開かせて、この入賞穴１３ｃにパチンコ玉を繰り返し誘い入れるようにし、パチンコ玉が入るたびに入賞のメダルをメダル排出口１７を通じてからプッシュ板３２やメダルガイドテーブル３１上に払い出させることができる。これにより、遊技者の遊戯性及び娯楽性をより高めることができる。
【００３５】
一方、前記プッシュ板３２は、前述のように前後方向にゆっくりとスライド運動しており、このプッシュ板３２自身がその前縁でメダルガイドテーブル３１上に載置されているメダルをゆっくりと前方に押し出す。このメダルの押し出し動作によって、メダルガイドテーブル３１上のメダルの一部が前記メダルガイドテーブル３１前縁のメダル排出凹部３４を通って水平台３０上へ例えば１枚ずつ落下する。
【００３６】
このため、この水平台３０上に落下したメダルは、予めこの水平台３０上に載置または堆積されているメダルを、図示しないメダル排出シュート（図示しない）方向へゆっくり押し出す。そして、メダルゲーム機３の下部に設けられた、図１に示す排出口３９からメダル受け台４０に賞メダルとして送り出される。
【００３７】
この場合において、メダルがメダルガイドテーブル３１のメダル排出凹部３４を通過すると、このメダル排出凹部３４部分に設置されたメダル通過センサ（図示しない）がそのメダルの通過を検知する。そしてこの検知結果に基づき制御回路(図示しない)がパチンコ台２の下部にあるスロット表示部２２の、例えば３桁の数字または絵柄を回転表示させる。
【００３８】
そして、このスロット表示部２２に置けるスロット回転を自動停止または遊技者自身の操作によって停止させた際に、前記数字や絵柄が例えば全部横一列にそろった場合に、予め決められた数の入賞メダルの払い出しが、前記メダル排出口１７を通してプッシュ板３２上に行われる。これにより、プッシュ板３２は、メダルガイドプレート３１および水平台３０上のメダル数が増加し、結果として前述のようなプッシュ板３２の動作によってメダル受台４０への賞メダルの払い出し量が増加し、遊技者の遊戯性及び娯楽性とを高めることとなる。
【００３９】
以上のように、本実施の形態では、メダルのメダルシュートへの投入によってパチンコ玉によるパチンコゲームを自動で開始させ、このパチンコゲーム結果に応じた数のメダルをプッシュ板へ送り出すことにより、メダルゲームを開始させることができる。そして、メダルゲーム開始後はプッシュ板上へ排出された前記メダルのうち、プッシュ板からメダルガイドテーブル３１や水平台３０上に落下したメダルおよび予めこれらのメダルガイドプレート３１や水平台３０上に置かれたメダルを、プッシュ板３２の動きによりゆっくり払い出し口３９へ払い出すことができる。この払いだされたメダルは、遊技者が最終的に獲得した賞メダルとなる。
【符号の説明】
【００４０】
１  ゲーム装置
２  パチンコ台
３  メダルゲーム台
１１  遊技板
１２  釘
１３ａ〜１３ｃ  入賞穴
１４  ガイドレール
１５  アウト穴
１６  球数表示器
１７  メダル排出口
１８  球収納部
１９  球打ち出し機
２０、２１  球通路
２２  スロット表示部
３０  水平台
３１  メダルガイドテーブル
３２  プッシュ板
３３  突縁
３４  メダル排出凹部
３５、３６  メダルシュート
４１、４２  パチンコ玉打ち出し開始センサー
【図１】
2011067472.tif 000003
【図２】
2011067472.tif 000004
【図３】
2011067472.tif 000005
【図４】
2011067472.tif 000006